(57)【特許請求の範囲】
【請求項１】
ゴムシートの上面にループ面を形成してなるループ面ファスナーを、裾の内側に所定数、縫い付けた合羽ズボンと、
前記ループ面ファスナーと係合可能で、且つ長靴の足入れ口の近傍の外側に貼着可能な所定数のフック面ファスナーと、
前記足入れ口に掛止可能な折曲部を有し、係着手段により各端を着脱可能に係着した可撓リングとからなる作業用雨具であって、
前記合羽ズボンの非着用時に、可撓リングを前記長靴の前記足入れ口に外嵌して、前記フック面ファスナーを保護することを特徴とする作業用雨具。
【請求項２】
前記ループ面ファスナーを内側に縫い付けた前記裾の外側に帯状の把手を取り付けたことを特徴とする請求項１に記載の作業用雨具。
【発明の詳細な説明】
【技術分野】
【０００１】
本発明は、降雨によりぬかるんだ工事現場、および室内の事務所や休憩室などで使用する作業用雨具に関する。
【背景技術】
【０００２】
通常、雨中の工事現場で作業をするときには、身体が濡れない様に雨合羽を着用し、足が濡れないようにゴム長靴を履く。
【０００３】
そこで、本発明者は、手もちの長靴を使って合羽ズボンと一体化できるとともに、着脱が容易で、雨中の作業性に優れた一体化雨具を考案した（特許文献１参照）。
【先行技術文献】
【特許文献】
【０００４】
【特許文献１】実用新案登録第３１６３８５９号公報
【発明の概要】
【発明が解決しようとする課題】
【０００５】
雨上がりで工事現場がぬかるんでいる場合には上記一体化雨具の雨合羽を脱ぎ、ゴム長靴を履いた状態で作業を行う。
また、室内にある事務所、休憩室、トイレ等では、雨合羽を脱ぐが、ゴム長靴を履いた状態で入室する。
【０００６】
そのため、下記の課題が有ることが判明した。
工事現場がぬかるんでいる場合等で、長靴を履き雨合羽を脱いでいる場合には、長靴に貼着した面ファスナーが泥等で汚れる。汚れると、長靴側の面ファスナーと合羽ズボン側の面ファスナーとの係合が弱くなってしまう。
合羽ズボンの裾は生地が薄いので、ズボン裾を指でひっぱって着脱を繰り返すと生地が破れるおそれがある。
【０００７】
本発明の目的は、着脱を繰り返しても合羽ズボンの生地が破れ難く、且つ、泥等の汚れによる面ファスナーの係合力低下を防止した作業用雨具の提供にある。
【課題を解決するための手段】
【０００８】
（請求項１について）
作業用雨具は、ゴムシートの上面にループ面を形成してなるループ面ファスナーを、裾の内側に所定数、縫い付けた合羽ズボンと、ループ面ファスナーと係合可能で、且つ長靴の足入れ口の近傍の外側に貼着可能な所定数のフック面ファスナーと、足入れ口に掛止可能な折曲部を有し、係着手段により各端を着脱可能に係着した可撓リングとからなる。
【０００９】
この作業用雨具は、以下の様にして使用する。
長靴の足入れ口の近傍の外側にフック面ファスナーを所定数貼着しておく。また、ゴムシートの上面にループ面を形成したループ面ファスナーを、合羽ズボンの裾の内側に所定数、縫い付けておく。
合羽ズボンの着用時には、可撓リングを使わない。
合羽ズボンを履き、足を長靴の足入れ口から長靴内へ入れた後に、合羽ズボンのループ面ファスナーを、長靴のフック面ファスナーに係合させる。
なお、合羽ズボンの非着用時には、可撓リングを長靴の足入れ口に外嵌しておく。
【００１０】
この作業用雨具は、以下の利点を有する。
合羽ズボンの着用時において、合羽ズボンのループ面ファスナーを長靴のフック面ファスナーに係合させるので、合羽ズボンと長靴とが一体化し長靴内へ雨水が浸入し難いとともに、ズボン裾に気を使う必要がないので作業に集中できる。
【００１１】
フック面ファスナーを長靴の足入れ口の近傍の外側に貼着する構成であるので、手持ちの長靴を使って合羽ズボンと長靴とを一体化できる。
合羽ズボンと長靴との一体化を解除する場合は、ループ面ファスナーとフック面ファスナーとの係合を解除するだけで良いので簡単である。
【００１２】
ループ面ファスナーを縫い付ける箇所は、合羽ズボンの裾の内側であるので生地が厚く強度が高いため、ズボン裾を指でひっぱって着脱を繰り返しても生地が破れ難い。
ループ面ファスナーより汚れ落ちが良いフック面ファスナーを、長靴の足入れ口近傍の外側に貼着しているので、合羽ズボンを履かずにぬかるんだ工事現場で作業を行って長靴の外側が泥等で汚れても、容易にフック面ファスナーの汚れを落とすことができ、面ファスナーの係合力低下を防止できる。
【００１３】
ゴムシートの上面にループ面を形成してなるループ面ファスナーを採用しているので、合羽ズボンの裾を広げて長靴の足入れ口に外嵌させたときにゴムシートも一緒に伸びるため、合羽ズボンの裾の締まりの低下が防止でき、長靴内への泥等の侵入が防止できる。
【００１４】
合羽ズボンの非着用時には、フック面ファスナーが露出しているので泥等が付き易い。しかし、合羽ズボンの非着用時には、可撓リングを長靴の足入れ口に外嵌するので、フック面ファスナーが可撓リングで被覆されるのでフック面ファスナーを保護することができ、係合時における面ファスナーの係合力低下を防止できる。
【００１５】
（請求項２について）
ループ面ファスナーを内側に縫い付けた裾の外側に帯状の把手を取り付けている。
把手を指でひっぱって着脱を行えば良いので、着脱時間が短縮できるとともに、ズボンの生地が破れ難い。また、把手の裏側に合羽ズボンのループ面ファスナーが位置しているので、ループ面ファスナーと長靴のフック面ファスナーとの係合が容易である。
【図面の簡単な説明】
【００１６】
【図１】（ａ）は本発明の参考例１に係る作業用雨具のループ面ファスナーの斜視図であり、（ｂ）はループ面ファスナー縫着後の合羽ズボンの裾の説明図、（ｃ）は合羽ズボンの裾の引き延ばし時の説明図である。
【図２】（ａ）は本発明の参考例１に係る裾の内側にループ面ファスナーを縫着した作業用雨具の合羽ズボンの横面図であり、（ｂ）はその合羽ズボンの下面図である。
【図３】（ａ）は本発明の参考例１に係る作業用雨具のフック面ファスナーの斜視図であり、（ｂ）はゴム長靴の足入れ口の外側にフック面ファスナーを貼着した状態の説明図である。
【図４】（ａ）は本発明の参考例１に係る作業用雨具に用いるフック面ファスナーをゴム長靴に貼着するところを示す上面図であり、（ｂ）はそのフック面ファスナーをゴム長靴に貼着した状態を示す側面図である。
【図５】（ａ）は本発明の参考例２に係る裾の内側にループ面ファスナーを縫着した作業用雨具の合羽ズボンの横面図であり、（ｂ）はその合羽ズボンの下面図である。
【図６】（ａ）は本発明の実施例１に係る作業用雨具に用いる可撓リング端の係着前の説明図であり、（ｂ）はその可撓リング端の係着後の説明図である。
【図７】（ａ）は本発明の実施例１に係る作業用雨具に用いる可撓リングの上面図であり、（ｂ）はそのゴム長靴の足入れ口に可撓リングを外嵌した状態を示す側面図である。
【００１７】
（参考例１）
本発明の参考例１に係る作業用雨具を図１〜図４に基づいて説明する。
参考１の作業用雨具は、ゴム長靴１１に貼着するためのフック面ファスナー１と、ループ面ファスナー２を縫着した合羽ズボン２１とにより構成される。
【００１８】
手持ちのゴム長靴１１は、通常、靴上部に足を入れるための楕円形の足入れ口１２が開口し、靴下部には、滑り止めやヒールなどが設けられている。
このゴム長靴１１の足入れ口１２近傍の外側の左右二カ所には、フック面ファスナー１が利用者によって貼着される（図３、図４参照）。
このフック面ファスナー１は、裏面に接着層１３を設けた布シート１４上にフック面１５を形成している。なお、長靴貼着前には、接着層１３の表面が剥離紙１６で被覆されている。
【００１９】
合羽ズボン２１は、ポリエステルやナイロン等の撥水性材で形成され、折返部にゴム帯を挟み込んで裾２２が縫製されている。そして、ゴム長靴１１に貼着したフック面ファスナー１と係合可能なループ面ファスナー２を、裾２２の内側に対向して二カ所に縫着している（図２参照）。
ループ面ファスナー２は、ゴムシート２３の上面にループ面２４を形成したものである（図１参照）。
【００２０】
つぎに、作業用雨具の使用方法を述べる。
合羽ズボン２１を製造するメーカー側で、予め、ループ面ファスナー２を裾２２の内側に対向して二カ所に縫着しておく。
【００２１】
作業用雨具を購入した利用者は、手持ちのゴム長靴１１に、合羽ズボン２１を履くとループ面ファスナー２のループ面２４が当接する、足入れ口１２近傍の外側の左右二カ所にフック面ファスナー１を貼着しておく。
【００２２】
この作業用雨具を着用する時は、合羽ズボン２１を履き、足を足入れ口１２からゴム長靴１１内へ入れた後に、裾２２の内側のループ面ファスナー２を、足入れ口２１近傍の外側に貼着したフック面ファスナー１に係合させる。なお、ジャケットも着る。
【００２３】
この作業用雨具は、以下の利点を有する。
ループ面ファスナー２をフック面ファスナー１に係合させているので、合羽ズボン２１とゴム長靴１１とが一体化しゴム長靴１１内へ雨水が浸入し難いとともに、ズボン裾に気を使う必要がないので作業に集中できる。
【００２４】
また、フック面ファスナー１をゴム長靴１１の足入れ口１２近傍の外側に貼着する構成であるので、手持ちのゴム長靴１１を使って合羽ズボン２１と一体化できる。
合羽ズボン２１とゴム長靴１１との一体化を解除する場合は、ループ面ファスナー２とフック面ファスナー１との係合を解除するだけで良いので簡単である。
【００２５】
ループ面ファスナー２を縫着する箇所は、ゴム帯を挟み込んで縫製した合羽ズボン２１の裾２２の内側であるのでズボン生地が厚いため強度が高く、ズボン裾を指でひっぱって着脱を繰り返してもズボン生地が破れ難い。
また、ループ面ファスナー２は、ゴムシート２３の上面にループ面２４を形成したものであるため、合羽ズボン２１の裾２２を広げてゴム長靴１１の足入れ口１２に外嵌させたときにゴムシート２３も一緒に伸びるため、合羽ズボン２１の裾２２の締まりの低下が防止でき、ゴム長靴１１内への泥等の侵入が防止できる｛図１の（ｃ）参照｝。
【００２６】
ループ面ファスナー２より汚れ落ちが良いフック面ファスナー１を、長靴１１の足入れ口１２近傍の外側に貼着しているので、合羽ズボン２１を履かずにぬかるんだ工事現場で作業を行ってゴム長靴１１の外側が泥等で汚れても、容易にフック面ファスナー１の汚れを落とすことができ、面ファスナーの係合力低下を防止できる。
【００２７】
（参考例２）
本発明の参考例２に係る作業用雨具を図１、図３、図４、図５に基づいて説明する。この作業用雨具は、下記の点が参考例１の作業用雨具と異なる。
本参考例の作業用雨具は、内側にループ面ファスナー２を縫着した裾２２の外側に帯状の把手１７（布製）を縫い付けている（図５参照）。
【００２８】
本参考例の作業用雨具は、下記の利点を有する。
把手１７を指でひっぱって、ループ面ファスナー２とフック面ファスナー１とを着脱すれば良いので、着脱時間が短縮できるとともに、ズボン生地が破れ難い。
また、把手１７の裏側に合羽ズボン２１のループ面ファスナー２が位置しているので、両者の位置が判り、ループ面ファスナー２とゴム長靴１１のフック面ファスナー１との係合を容易にできる。
【実施例１】
【００２９】
本発明の実施例１（請求項１に対応）に係る作業用雨具を図１〜図４、図６、図７に基づいて説明する。
ゴム製の可撓リング３は、参考例１、２に示すゴム長靴１１の足入れ口１２に掛止可能な折曲部３１を有し、係着手段である面ファスナー３２、３３により各端を着脱可能に係着している。
【００３０】
本実施例の作業用雨具は、以下の利点を有する。
参考例１、２の作業用雨具では、室内にある事務所、休憩室、トイレに入る場合や、雨上がりで工事現場がぬかるんでいる場合等で、合羽ズボン２１の非着用時には、露出しているフック面ファスナー１に泥等の汚れが付き易い。
【００３１】
しかし、本実施例の作業用雨具では、可撓リング３をゴム長靴１１の足入れ口１２に外嵌することにより、フック面ファスナー１が可撓リング３で被覆されるのでフック面ファスナー１を保護することができ、面ファスナーの係合力低下を防止できる。
【産業上の利用可能性】
【００３２】
作業用雨具は、着脱を繰り返しても合羽ズボンの生地が破れ難く、且つ、泥等の汚れによる面ファスナーの係合力低下を防止できる。
【符号の説明】
【００３３】
１  フック面ファスナー
２  ループ面ファスナー
３  可撓リング
１１  ゴム長靴
１２  足入れ口
１７  把手
２１  合羽ズボン
２２  裾
２３  ゴムシート
２４  ループ面
３１  折曲部
３２、３３  面ファスナー（係着手段）
【図１】
0005988673.tif 000002
【図２】
0005988673.tif 000003
【図３】
0005988673.tif 000004
【図４】
0005988673.tif 000005
【図５】
0005988673.tif 000006
【図６】
0005988673.tif 000007
【図７】
0005988673.tif 000008